(57)【要約】【課題】  本発明は、施工対象となるバルコニー等の多種多様な空間の緑化に適した庭のデザインに基づく植栽容器、庭の構造及び庭の工法を提供することを目的とする。【解決手段】  本発明の庭１は、緑化空間としてのバルコニー等に施工されるもので、デザインされた庭となるバルコニー等の施工空間１０を立体的に割り付けて、グリッド化して、そのグリット化に基づき成形される植栽容器２〜５と、各植栽容器２〜５に入れられる土壌６と、その土壌６に植栽された芝６０、低木６１、土壌の上に置かれた庭石６２等からなる。【選択図】図１
2014054204.tif 000002
【特許請求の範囲】
【請求項１】
バルコニー等の庭の施工空間毎に、庭のレイアウトがデザインされ、そのデザインされた庭が複数の領域に割付けられ、その割付けの寸法に基づいて成形されることを特徴とする植栽容器。
【請求項２】
前記植栽容器には高さ調整部が設けられていることを特徴とする請求項１に記載の植栽容器。
【請求項３】
バルコニー等の庭の施工空間毎に、庭のレイアウトがデザインされ、そのデザインされた庭が複数の領域に割付けられ、その割付けの寸法に基づいて成形される植栽容器に植栽されることを特徴とする庭の構造。
【請求項４】
第１に、バルコニー等の庭のデザインを行う、
第２に、その庭のデザインに従い、植栽用の容器を製造するために、所定の領域ごとに割り付けを行う、
第３に、この割り付けに基づき容器を作る、
第４に、この容器を前記庭のデザイン通りにバルコニー等に配置する、
第５に、配置された容器を用いて植栽する、
以上の工程による庭の構造の施工方法。
【発明の詳細な説明】
【技術分野】
【０００１】
本発明は、庭のデザインに基づいて施工される庭に用いられる植栽容器、これを用いた庭の構造及びその庭の構造を作り上げる工法に関するものである。
【背景技術】
【０００２】
屋上等の緑化方法の簡便なものは、屋上の床面に防水シートを敷き、囲いを作り、その囲いの中に土を入れて植栽するものであったが、重量が重くなること、屋上の防水工事の際に、土の撤去が必要なこと等の問題があった。
かかる現状に対し、特許文献１は、底部下面に排水兼通気用の条溝等を形成した軽量気泡コンクリート製の植栽容器を用いることで、排水性および通気性を向上させ、植物の生育に適する、運搬や取扱いが簡単で施工性のよい植栽容器を提案している。
【先行技術文献】
【特許文献】
【０００３】
【特許文献１】特開２００５−３４１８６９
【発明の概要】
【発明が解決しようとする課題】
【０００４】
しかし、建物のバルコニー、ベランダ、ルーフテラス（以下、バルコニー等と称する）の空間を緑化しようとする場合に、特許文献１の植栽容器では、次のような支障が生じるおそれがある。
即ち、上記植栽容器はサイズが比較的大きく（一辺の長さが２０００ミリメートル以下）、また、そのサイズが統一された上記植栽容器は、ビル等の屋上等を緑化する場合に適するものの、画一的な寸法ではなく多種多様なマンション等のベランダ等にそのまま利用することができない場合がある。
また、植栽容器の運搬や取扱いが容易であっても、転居等で植栽容器を屋上等から撤収する場合に、土等を入れた状態でのエレベータへの搬入等が困難である。
植栽容器の撤収の容易性は、改修等が制約されている、共同住宅のバルコニー等の共用部分に庭を作る場合に、必要不可欠であり、通常は、鉢植え、プランターを設置している場合が多く、撤収が困難な特許文献１の植栽容器を使用することはできない。
また、屋上防水層としてアスファルト防水等の施工が必要となっており、施工が煩雑であった。
植栽容器の撤収の容易性は、容器自体を小型化すればよいが、その小型化した容器を単にバルコニー等に並べたとしても、画一的な寸法ではなく多種多様なマンション等のベランダ等に対応できない場合がある。
【０００５】
上記問題点が解消されるためには、次のような課題の解決が必要となってくる。
第１に、画一的ではなく、多種多様な建物のバルコニー等の緑化を図るには、予め寸法の決まった容器を作ることではなく、施工空間に適した植栽容器（以下、単に容器ともいう）を作ること、
第２に、鉢植え、プランター等を置くことで満足させることなく、バルコニー等においても本格的な庭を作り上げることができること、
第３に、施工時、補修時等の容器の運搬や取扱いが容易であり、しかも撤収及び再設置時の取扱いが容易な容器にすること、
第４に、施工の際の準備的な工事が不要であること、等である。
【０００６】
そこで、本発明は、上記課題を解決し、施工対象となるバルコニー等の多種多様な空間の緑化に適した「植栽容器」、これを用いた「庭の構造」及び「その庭の工法」を提供することを目的とする。
【課題を解決するための手段】
【０００７】
上記課題を解決するため、バルコニー等の庭の施工空間毎に、庭のレイアウトがデザインされ、そのデザインされた庭が複数の領域に割付けられ、その割付けの寸法に基づいて成形されることを特徴とする植栽容器とした（請求項１の発明）。
また、バルコニー等の庭の施工空間毎に、庭のレイアウトがデザインされ、そのデザインされた庭が複数の領域に割付けられ、その割付けの寸法に基づいて成形される容器に植栽されることを特徴とする庭の構造とした（請求項２の発明）。
【０００８】
本発明の容器が用いられる庭の施工対象は、主にバルコニー等であるが、これに限定されるものではなく、屋上でもよい。
デザインされた庭に対する複数の領域の割付けは、施工時、補修時等の容器の運搬、取扱いの容易性、設置・再設置時の容易性、撤収時の取扱いの容易性の観点からなされるものである。
【０００９】
上記発明において、各容器には高さ調整部が設けられている（請求項３の発明）。
バルコニー等の水勾配に対処できる庭の構造にすることができる。
【００１０】
上記庭の構造を施工する工程は、次の通りである。
第１にバルコニー等の庭のデザインを行う、第２に、その庭のデザインに従い、植栽用の容器を製造するために、所定の領域ごとに割り付けを行う、第３に、この割り付けに基づき容器を作る、第４に、この容器を前記庭のデザイン通りにバルコニー等に配置する、第５に、配置された容器を用いて植栽する。
（請求項４の発明）。
【発明の効果】
【００１１】
本発明の「植栽容器」、「庭の構造」及び「その構造の施工方法」によれば、謂わば、オーダメイド、カスタムメイドによる庭にすることができ、施工対象となる多種多様な寸法の空間の緑化に適した、植栽容器、庭の構造及び庭の施工方法を提供することができる。
【図面の簡単な説明】
【００１２】
【図１】図１は、本発明の実施例に係る庭の構造の要部を示す斜視図、
【図２】図２は、庭の構造を構成する容器の平面図、
【図３】図３は、同容器の側面図、
【図４】図４は、庭の構造の要部断面図、
【図５】図５は、庭の構造の施工方法の説明図、
【図６】図６は、庭の構造の施工方法の説明図、
【図７】図７は、庭の構造の施工方法の説明図である。
【発明を実施するための形態】
【００１３】
実施例に係る庭は、図１のように、庭１となるバルコニー等の施工空間１０に対し、庭のレイアウトがデザインされ、そのデザインされた庭を複数の立体的な領域に割付けてグリッド化して、そのグリット化された寸法に基づき成形される容器２、容器３、容器４及び容器５を用いて施工される。
各容器２〜５には土壌６が入れられ、その土壌６には芝６０、低木６１が植栽され、土壌６の上には庭石６２等が置かれている。
【００１４】
前記容器としては、施工空間１０のために、同一寸法に割付けられた複数の容器２、２，２・・・と、これらの容器２の寸法では割付けることができない、個別的な寸法に割り付けられた容器３〜容器５からなる。
【００１５】
前記容器２は、横縦Ｌ１、Ｌ２の寸法が、概ね約４００ミリメートル前後で、高さが約１００ミリメートルに形成されている。
この程度のサイズが土壌等を入れた状態で、容易に移動可能なことになる。
【００１６】
前記容器３は、非常口１１（図５参照）の空間を確保するために、容器をＬ字状に成形したり、矩形状に成形したものである。
前記容器４は、ウッドデッキ８を張付ける空間を確保するために、矩形に成形したものである。
前記容器５は、低木を植栽するために、前記容器２に代えて、その深さ（高さ）の寸法を大きくしたものである。
【００１７】
前記各容器は、例えば図２の容器２のように上面が開放された有底の箱型のもので、上面の開放端２０から底２１が臨まされ、その底２１には水抜き孔２２が形成されている。また、開放端２０の内面２３には肥料等から容器の腐食を防止するための防腐塗料が塗られている。防腐塗料に代えてラッピング材で内面２３を保護してもよい。
【００１８】
前記各容器には、例えば図３の容器２のように、前記底２１の外側に前記容器２の高さを調整する高さ調整部としての、少なくとも１台の脚部２４が設けられている。
前記脚部２４は、例えば床面に接する頭部にゴムが設けられたボルト２４ａと、このポルト２４ａを螺着する螺着型材２４ｂからなっている。
各容器２等をバルコニー等に配置する場合、前記脚部２４のボルト２４ａの高さを調整し、各容器２〜５の上面の開放端２０が水平になるように調整でき、図４に示したように、バルコニー等の水勾配に対処できるようになっている。
かかる脚部２４によって、各容器２〜５とバルコニー等の床面との間の通気性を確保することもできる。
【００１９】
容器としては、上記容器２〜５のように各辺が略９０度に突当たる方形的な箱型のものが各容器を組み合わせる場合に、その組み合わせを容易にする。ただし、箱型のものに限定されることはなく、三角体、多角体或いは円形体でもよい。
また、根の深い植物には、既存の鉢に植栽するものとし、かかる鉢をのぞかせる多角形の空間を容器の外周辺で作るようにしてもよい。
前記容器の材質は、特に限定されるものではないが、軽いこと、加工が容易であることからアルミニウムが最適である。
【００２０】
以上のような構成の容器、例えば容器２を作るには、割り付けられた寸法に基づき４枚の側板、底板を用意し、各側板を金具等で連結し、さらに底板を側板に金具等で連結すればよい。
なお、安全を図るため、容器２の開放端２０は内側に折曲げられているが、
切断小口等にはカバーを付けることが望ましい。
【００２１】
以上のように構成された各容器２〜５は、隣接する容器同士が金属性のクリップ２５等で連結されている（図４参照）。
【００２２】
土壌６は、軽量な人工土壌でもよい。
庭石６２は、天然のものでも、人造のレプリカでもよい。
取り扱いの容易性のため、石６２は容器単位で切断加工してもよい。
【００２３】
次に、図５〜図７に基づき、上記庭１に対する施工の工程を説明する。
第１の工程は、施工空間１０となるバルコニー等に施工される庭をデザインすることである。
即ち、図５のように、テラス窓の前にデッキ８を設置して、非常口１１を除いた領域に芝６０を貼り、低木６１を配し、庭石６２を配したレイアウトを行う。
上記庭のデザインは、アプリケーションソフトウェアとしての描画ソフトを用いてコンピュータ上で行ってもよく、また、図面から書き起こしてもよい。
【００２４】
第２の工程は、図６のように、庭のデザインから容器の作成に必要な割付けを行い、グリッド化する。
【００２５】
第３の工程は、図７のような割付けに基づき、各容器２〜５を工場等で製造する。
【００２６】
第４の工程は、容器を施工空間１０に搬入して、庭のデザインに従って配置する。
なお、必要に応じて、植物の根の張出しを防止する耐根シートを張り、また、容器とテラス窓等との間に、植物の根の張出しを防止する防根目的の見切材を介在させてもよい。
【００２７】
第５の工程として、各容器２〜５に土壌６を入れて芝６０、低木６１等を植栽し、庭石６２を配置する。
【００２８】
以上が庭を施工する場合の手順であるが、庭の撤収には、各容器２〜５毎に分割して、そのまま外部に運び出せばよい。また、再設置の際は容器の全部又は一部を再利用してもよいし、新たにデザインを加えて前記各工程を行ってもよい。
【００２９】
実施例に係る容器、庭の構造及びその施工方法の効果を纏めると次のようである。
（１）  デザインされた庭に基づき、植栽容器が成形されるので、画一的ではなく、多種多様な建物のバルコニー等の施工空間の緑化を図るために適した容器を作ることができる、
（２）  その容器は、施工時、防水工事等の補修時等において容器の運搬や取扱いが容易であり、しかも撤収時の取扱いが容易な容器にすることができる、
（３）  バルコニー等において、居住者の自由なデザインにより、庭を作り上げることができる、
（４）  デザインされた庭に基づき植栽容器が成形されるので、植栽の対象毎に、その植物の植栽に適合させる容器を作ることができ、この点からも、居住者の自由なデザインにより、庭を作り上げることができる、
（５）  鉢植え、プランター等を置くことで満足することなく、建物の共用部分のバルコニー等に本格的な庭を作ることができる。
【００３０】
本発明は以上説明した実施例に限定されるものではなく、多くの変形が本発明の技術的思想内で当分野において、通常の知識を有する者により可能である。
【符号の説明】
【００３１】
１  庭
１０  バルコニー等の施工空間            １１  非常口
２〜５  容器
２０  上面の開放端                      ２１  底
２２  水抜き孔                          ２３  内面
２４  脚部                              ２４ａ  ボルト
２４ｂ  螺着型材
６  土壌
６０  芝
６１  低木
６２  庭石
【図１】
2014054204.tif 000003
【図２】
2014054204.tif 000004
【図３】
2014054204.tif 000005
【図４】
2014054204.tif 000006
【図５】
2014054204.tif 000007
【図６】
2014054204.tif 000008
【図７】
2014054204.tif 000009